(57)【要約】【課題】  刷版に変形等を生じさせることが無く、複雑な構造を必要とせず、刷版を版胴に装着させることが可能なオフセット印刷機の版万力装置を提供することを目的とする。【解決手段】  咥え側万力２０は、刷版１００の先端を咥える上歯２１と、上歯２１を開閉させるための開閉用カム軸２４と、刷版１００の先端を咥え側万力２０の咥え部の定位置に案内するための基準ピン２２，２３とから構成されている。基準ピン２２，２３の両方もしくはいずれか一方に、刷版１００の先端に設けられている溝が当接した際に回転する回転体２５が設けられている。【選択図】  図１
2010179639.tif 000002
【特許請求の範囲】
【請求項１】
版胴に刷版を装着固定するための咥え側万力と、咥え尻側万力とを有するオフセット印刷機の版万力装置において、
前記咥え側万力に、前記刷版の先端に有する溝と嵌合する基準ピンに回転体が設けられていることを特徴とするオフセット印刷機の版万力装置。
【請求項２】
版胴に刷版を装着固定するための咥え側万力と、咥え尻側万力とを有するオフセット印刷機の版万力装置において、
前記咥え側万力に、前記刷版の先端に有する溝と嵌合する回転可能な基準ピンが設けられていることを特徴とするオフセット印刷機の版万力装置。
【請求項３】
前記回転体は、前記基準ピンの軸方向に回転可能なベアリングを有することを特徴とする請求項１記載のオフセット印刷機の版万力装置。
【請求項４】
前記回転可能な基準ピンは、該基準ピンを軸支するベアリングを有することを特徴とする請求項２記載のオフセット印刷機の版万力装置。
【発明の詳細な説明】
【技術分野】
【０００１】
本発明は、版万力に刷版の取り付け位置を決めるオフセット印刷機の版万力装置に関し、特に、簡単な構成で精度が高い位置決めを行うことができるオフセット印刷機の版万力装置に関する。
【背景技術】
【０００２】
オフセット印刷機の版胴に刷版を取り付ける際には、その版胴に設けられた咥え側版万力の位置決めピンに、刷版咥え側に設けられたＵ字溝を位置合わせした後、刷版を版胴に巻きつけ、尻側版万力に刷版尻側を咥えさせて装着固定する。このとき、刷版のＵ字溝を咥え側版万力の位置決めピンに正確に位置合わせを行わないと、印刷時の見当ずれの修正に時間がかかる。また、Ｕ字溝を位置決めピンに挿入するとき、Ｕ字溝の先端が変形するという不具合が発生すると、さらに、印刷不具合が発生するおそれがある。
【０００３】
上記のような不具合を解消するための装置として、特許文献１で開示されている版位置決め装置がある。この版位置決め装置は、版胴にテーブル位置決めピンと版位置決めピンをそれぞれ２本ずつ設けている。また、吸着手段を有する版案内テーブルが版胴の咥え側万力に向かって傾斜保持されている。その版案内テーブルの先端に、前記テーブル位置決めピンに係合する版位置決めガイドを設けている。また、版案内テーブルに、刷版の刷版位置決め溝が係合する刷位置決め基準ピンを設けている。そして、版胴のテーブル位置決めピンに版案内テーブルの版位置決めガイドを係合させている。
【０００４】
このように特許文献１によれば、版位置決めガイドとテーブル位置決めピンとが係合した状態で、刷版位置決め基準ピンと刷版位置決め溝係合部との微小隙間が開いているようになっており、刷版の吸着保持を解除し、微小隙間分のみを滑降させることで、刷版が版胴の刷版位置決めピンに当接する。これにより、刷版が版案内テーブルとともに精度よく案内され始めた後、刷版の刷版位置決め溝が版胴の咬む側万力の刷版位置決めピンに入るので刷版位置決め溝の角部がピンに当たり変形するといった不具合が生じないとされている。
【先行技術文献】
【特許文献】
【０００５】
【特許文献１】特開２０００−６２１４６号公報
【発明の概要】
【発明が解決しようとする課題】
【０００６】
しかしながら、特許文献１で開示されている版位置決め装置は、版案内テーブルやそれを支持する移動フレームがあり、また、テーブル位置決めピンおよび刷版位置決め基準ピンをそれぞれ必要とするため、構造が複雑になりコスト高の原因になるという問題がある。
【０００７】
本発明は係る問題に鑑みてなされたものであり、複雑な構造を必要とせず、刷版を正常に版胴に装着させることが可能なオフセット印刷機の版万力装置を提供することを目的とする。
【課題を解決するための手段】
【０００８】
上記目的を達成するために、本発明のオフセット印刷機の版万力装置は、版胴に刷版を装着固定するための咥え側万力と、咥え尻側万力とを有するオフセット印刷機の版万力装置において、前記咥え側万力に、前記刷版の先端に有する溝と嵌合する基準ピンに回転体が設けられていることを特徴とする。
【０００９】
また、本発明のオフセット印刷機の版万力装置は、版胴に刷版を装着固定するための咥え側万力と、咥え尻側万力とを有するオフセット印刷機の版万力装置において、前記咥え側万力に、前記刷版の先端に有する溝と嵌合する回転可能な基準ピンが設けられていることを特徴とする。
【００１０】
また、本発明のオフセット印刷機の版万力装置は、前記回転体は、前記基準ピンの軸方向に回転可能なベアリングを有することを特徴とする。
【００１１】
さらに、本発明のオフセット印刷機の版万力装置は、前記回転可能な基準ピンは、該基準ピンを軸支するベアリングを有することを特徴とする。
【発明の効果】
【００１２】
本発明によれば、刷版に設けられた溝に嵌合する基準ピンに回転体を設けるまたは、基準ピンが軸方向に回転することにより、簡易な構造でコストを抑えることができると共に、溝が基準ピンにスムーズに精度良く嵌合することができ、刷版の先端の変形と溝の変形を防止することができる。
【図面の簡単な説明】
【００１３】
【図１】本実施形態に係るオフセット印刷機の版万力装置を示した図である。
【図２】咥え側万力の構成を示した断面図である。
【図３】咥え側万力の構成を示した断面図である。
【図４】図４は、刷版１００が咥え側万力２０に正常に装着される状態を示した図である。
【図５】図５（ａ）は、刷版１００が咥え側万力２０に対して、左方向にズレて送られた状態を示した図であり、図５（ｂ）は、刷版１００が咥え側万力２０に対して右方向にズレて送られた状態を示した図である。
【図６】図６（ａ）は、刷版１００が咥え側万力２０に対して右斜め方向にズレて送られた状態を示した図であり、図６（ｂ）は、左斜め方向にズレた状態で送られた状態を示した図である。
【発明を実施するための形態】
【００１４】
次に、図面を参照して、本実施形態に係るオフセット印刷機の版万力装置について詳細に説明する。
図１は、本実施形態に係るオフセット印刷機の版万力装置を示した図である。
本実施形態にかかるオフセット印刷機の版万力装置は、刷版１００を装着固定するための版胴１と、版胴１に装着固定される刷版１００上のインキを受け取り、シート（図示せず）にインキを転写するためのブランケット胴２と、刷版１００の咥え尻を咥える咥え尻側万力１０と、刷版１００の先端を咥える咥え側万力２０と、咥え側万力２０に刷版１００を送るための刷版挿入具３０と、刷版挿入具３０によって送られる刷版１００のガイドの役割を果たすコロ３１，３２と、版胴１にインクを供給するためのインキローラ群４０と、刷版１００をガイドして咥え尻を咥え尻側万力１０に固定させるための可動コロ５１と、可動コロ５１をアーム５２を介して移動させるエアシリンダー５０とから構成されている。
【００１５】
この版万力装置によって刷版１００を版胴１に装着固定する場合には、まず、刷版挿入具３０を用いて刷版１００の先端を咥え側万力２０の咥え部に挿入する。このとき、コロ３１，３２が刷版１００のガイドになる。そして、咥え側万力２０の基準ピン２２，２３に刷版１００の先端を当接させ、咥え側万力２０の上歯２１を開閉用カム軸２４の可動により閉じて、刷版１００の先端を咥え側万力２０で咥える。
【００１６】
そして、刷版１００の先端を咥えた状態で版胴１を矢印方向（反時計回り）に回転させる。このとき、ブランケット胴２と可動コロ５１とが刷版１００を抑える役割を果たす。可動コロ５１は、エアシリンダー５０の動作によって刷版１００を版胴１に押圧し、刷版１００をガイドする。そして、版胴１が刷版１００の咥え尻が可動コロ５１の位置まで回転した時点で版胴１の回転を停止させる。
【００１７】
なお、ここでは、駆動源をエアシリンダー５０で示したが、カムやモータ等を使用することも可能である。そして、エアシリンダー５０とは別の例えばモータなどの駆動源（図示せず）により、開閉用カム軸１２を回転させて、上歯１１が刷版１００の咥え尻側を咥え、咥え尻側万力１０に固着させる。このようにして、版胴１への刷版１００の固定が完了し、印刷工程に移行することができる。
【００１８】
次に、図２及び図３を参照して、咥え側万力２０の構成について説明する。
図２は、咥え側万力２０の構成を示した図である。
図２に示すように、咥え側万力２０は、刷版１００の先端を咥える上歯２１と、上歯２１を開閉させるための開閉用カム軸２４と、刷版１００の先端を咥え側万力２０の咥え部の定位置に案内するための基準ピン２２，２３とから構成されている。基準ピン２２，２３は、後述するように、咥え側万力２０の咥え部の幅方向の端部にそれぞれ設けられており、刷版１００の先端を定位置に案内させるためのものである。また、一方で、刷版１００の先端には、基準ピン２２，２３に嵌合するＵ字形状のＵ字溝１０１と、凹形状の凹溝１０２とが設けられている。そして、これらの溝が基準ピン２２，２３に嵌合して、上歯２１を閉じることで、刷版１００の先端を咥え側万力２０の固着することができる。
【００１９】
基準ピン２２，２３の両方もしくはいずれか一方に、回転体２５が設けられている。この回転体２５は、刷版１００の先端に設けられているＵ字溝１０１または凹溝１０２が当接した際に回転する機能を有する。なお、本実施形態においては、基準ピン２２にのみ回転体２５を設ける構成について説明する。
【００２０】
回転体２５は、基準ピン２２の頭部に設けられており、ベアリング２５ａを内部に有することで、基準ピン２２の軸方向に回転することができる。
【００２１】
一方、図３は、咥え側万力２０の他の構成を示した図である。
図３に示すように、基準ピン２２を軸支するベアリング２６によって基準ピン２２が軸方向に回転するようにしてもよい。
【００２２】
次に、図４〜図６を参照して咥え側万力２０に刷版１００が装着される状態について説明する。
図４は、刷版１００が咥え側万力２０に正常に装着される状態を示した図であり、図５（ａ）は、刷版１００が咥え側万力２０に対して、左方向にズレて送られた状態を示した図であり、図５（ｂ）は、刷版１００が咥え側万力２０に対して右方向にズレて送られた状態を示した図であり、図６（ａ）は、刷版１００が咥え側万力２０に対して右斜め方向にズレて送られた状態を示した図であり、図６（ｂ）は、左斜め方向にズレた状態で送られた状態を示した図である。
【００２３】
図４に示すように、刷版１００が刷版挿入具３０によって咥え側万力２０の咥え部に送られ、Ｕ字溝１０１及び凹溝１０２がそれぞれの基準ピン２２，２３の直線上にある場合、刷版１００が進行方向に進むことで、Ｕ字溝１０１が基準ピン２２に嵌合し、凹溝１０２が基準ピン２３に嵌合する。
これにより、刷版１００が基準ピン２２，２３に対して正常に嵌合することが可能となる。
【００２４】
ところで、刷版１００が刷版挿入具３０によって咥え側万力２０の咥え部に送られた時、Ｕ字溝１０１及び凹溝１０２がそれぞれの基準ピン２２，２３との直線上から左右いずれかにズレている場合がある。
例えば、図５（ａ）に示すように、刷版１００が咥え側万力２０に対して、左方向にズレている場合には、Ｕ字溝１０１が基準ピン２２に対して左方向にズレて当接する。この時、刷版挿入具３０によって進行方向に刷版１００が進むと同時に、Ｕ字溝１０１が基準ピン２２に設けられている回転体２５に接触し、回転体２５が左回り（反時計回り）に回転することで、Ｕ字溝１０１が基準ピン２２の直線上に位置し、Ｕ字溝１０１及び凹溝１０２が基準ピン２２，２３に正常に嵌合する。
【００２５】
また、図５（ｂ）に示すように、刷版１００が咥え側万力２０に対して、右方向にズレている場合には、Ｕ字溝１０１が基準ピン２２に対して右方向にズレて当接する。この時刷版挿入具３０によって進行方向に刷版１００が進むと同時に、Ｕ字溝１０１が基準ピン２２に設けられている回転体２５に接触し、回転体２５が右回り（時計回り）に回転することで、Ｕ字溝１０１が基準ピン２２の直線上に位置し、Ｕ字溝１０１及び凹溝１０２が基準ピン２２，２３に正常に嵌合する。
【００２６】
一方、刷版１００が刷版挿入具３０によって咥え側万力２０の咥え部に送られた時、刷版１００が咥え側万力２０に対して左右いずれかの斜め方向にズレて送られる場合もある。
例えば、図６（ａ）に示すように、刷版１００が右上がりの状態で咥え側万力２０に送られた場合には、Ｕ字溝１０１と凹溝１０２のうち、Ｕ字溝１０１のみが基準ピン２２に当接する。後に、刷版１００が進行方向に進むにつれて、Ｕ字溝１０１が基準ピン２２に嵌合する。そして、基準ピン２２にＵ字溝１０１が嵌合した状態で回転体２５が左回りに回転し、凹溝１０２が基準ピン２３の直線上に移動すると同時に嵌合する。
【００２７】
また、図６（ｂ）に示すように、刷版１００が左上がりの状態で咥え側万力２０に送られた場合には、凹溝１０２のみが基準ピン２３に嵌合する。この時、Ｕ字溝１０１は、基準ピン２２に対して右方向にズレた状態で当接する。後に、刷版１００が進行方向に進むにつれて、回転体２５が右回りに回転し、Ｕ字溝１０２が基準ピン２２の直線上に移動すると同時に嵌合する。
【００２８】
以上の説明から、本実施形態に係るオフセット印刷機の版万力装置は、刷版に設けられているＵ字溝が基準ピンの回転体の回転によりスムーズに精度良く基準ピンに嵌合することができるため、刷版の先端やＵ字溝の変形を防止することができる。
また、基準ピンに回転体を設けたり、基準ピン自体を回転させるといった、簡易な構造であることから、コストを抑えることができ、見当ずれの発生を少なくすることができる。このため、特別なスキルを有する者でなくとも刷版の装着を容易に行うことができる。
【符号の説明】
【００２９】
１    版胴
２    ブランケット胴
１０    咥え尻側万力
１１    上歯
１２、２４    開閉用コロ軸
２０    咥え側万力
２１    上歯
２２、２３    基準ピン
２５    回転体
２５ａ、２６    ベアリング
３０    刷版挿入具
３１、３２    コロ
４０    インキローラー群
５０    エアシリンダー
５１    可動コロ
５２    アーム
１００    刷版
【図１】
2010179639.tif 000003
【図２】
2010179639.tif 000004
【図３】
2010179639.tif 000005
【図４】
2010179639.tif 000006
【図５】
2010179639.tif 000007
【図６】
2010179639.tif 000008